(57)【要約】【課題】  符号化手法に関わらず個人情報を秘匿した上で、符号化データが一意となるデータ変換装置を提供することである。【解決手段】実施形態のデータ変換装置は、保存手段と、符号化手段と、記憶手段と、を備える。保存手段は、ネットワークを介して外部システムから受信した個人を特定するＩＤを持つ個人情報と、ランダム値である付加データと符号化の実行関数を示す符号化関数とをＩＤに対応づけたＩＤ管理情報と、を保存する。符号化手段は、ＩＤ管理情報に基づいて、ＩＤに前記付加データを付加し符号化関数で符号化データを生成する。記憶手段は符号化データを記憶する。符号化手段は、符号化データに重複があれば付加データをランダムに変化させて再符号化する。【選択図】図１
2013196386.tif 000002
【特許請求の範囲】
【請求項１】
外部システムから受信した個人を特定するＩＤを持つ個人情報と、ランダム値である付加データと符号化の実行関数を示す符号化情報とを前記ＩＤに対応づけたＩＤ管理情報と、を保存する保存手段と、
前記ＩＤ管理情報に基づいて、前記ＩＤに前記付加データを付加し前記符号化情報で符号化データを生成する符号化手段と、
前記符号化データを記憶する記憶手段と、
を備え、
前記符号化手段は、前記符号化データに重複があれば前記付加データをランダムに変化させて再符号化し、
前記個人情報を前記ＩＤに換えて前記符号化データと対応付けて外部システムに出力する
ことを特徴とする請求項１に記載のデータ変換装置。
【発明の詳細な説明】
【技術分野】
【０００１】
本発明の実施態様は、個人を特定可能な情報を符号化するデータ変換装置に関する。
【背景技術】
【０００２】
近年は個人情報を秘匿するために、統計システムで情報を扱う際には、個人の特定が可能な情報を符号化する。
【０００３】
符号化にはハッシュ関数をランダムに用い、符号化データからの個人の特定を困難にする方法が知られている。
【先行技術文献】
【特許文献】
【０００４】
【特許文献１】特開２０１１−１２３７１２号
【発明の概要】
【発明が解決しようとする課題】
【０００５】
しかし、ハッシュ関数による符号化データは衝突が起こる可能性があり、符号化データが一意となるとは限らない。もし符号化データの衝突が起きた場合、符号化データが一致しても同一人物である保証はないという問題点があった。
【０００６】
本発明が解決しようとする課題は、符号化手法に関わらず個人情報を秘匿した上で、符号化データが一意となるデータ変換装置を提供することである。
【課題を解決するための手段】
【０００７】
本実施形態のデータ変換装置は、保存手段と、符号化手段と、記憶手段と、を備える。保存手段は、ネットワークを介して外部システムから受信した個人を特定するＩＤを持つ個人情報と、ランダム値である付加データと符号化の実行関数を示す符号化関数とをＩＤに対応づけたＩＤ管理情報と、を保存する。符号化手段は、ＩＤ管理情報に基づいて、ＩＤに前記付加データを付加し符号化関数で符号化データを生成する。記憶手段は符号化データを記憶する。符号化手段は、符号化データに重複があれば付加データをランダムに変化させて再符号化する。
【図面の簡単な説明】
【０００８】
【図１】実施形態１のデータ変換システム２００の構成を示すブロック図。
【図２】個人情報データテーブル２１の例を示す図。
【図３】ＩＤ管理データテーブル２２の例を示す図。
【図４】符号化データテーブル２３の例を示す図。
【図５】送信データテーブル２４の例を示す図。
【図６】統計データベース２５の例を示す図。
【図７】方式テーブル２６の例を示す図。
【図８】符号化処理を示すフローチャート。
【図９】未登録ＩＤ管理データテーブル３２の例を示す図。
【図１０】未登録符号化データテーブル３３の例を示す図。
【図１１】データ送信処理を示すフローチャート。
【図１２】未送信個人情報データテーブル４１の例を示す図
【図１３】未送信ＩＤ管理データテーブル４２の例を示す図
【発明を実施するための形態】
【０００９】
以下、本発明の実施形態について図面を参照して説明する。
【００１０】
本実施形態は、市町村等の自治体で管理される要介護認定に関する情報を、都道府県や国などに集約し、サービスの偏りや地域による傾向の把握等のため統計処理する際に用いるデータ変換システムである。
【００１１】
本実施形態のデータ変換システム２００の構成を図１のブロック図に示す。同図に示すようにデータ変換システム２００は、市町村等の自治体や事業者に設けられた１台以上の個人情報サーバ１と、ネットワーク７を介して接続された統計装置３と、外部システム４から構成されている。
【００１２】
個人情報サーバ１は、管理データベース（以降、管理ＤＢと記す）９と、ネットワーク７に接続された符号化手段５から構成されている。個人情報サーバ１は、管理ＤＢ９の個人情報を符号化し、ネットワーク７を介して統計装置３に送受信する機能を持つ。
【００１３】
管理ＤＢ９は、符号化手段５が受信した情報を個人情報データテーブル（以降、個人情報ＤＴと記す）２１、ＩＤ管理データテーブル（以降、ＩＤ管理ＤＴと記す）２２、送信データテーブル（以降、送信ＤＴと記す）２４、方式テーブル２６に保存するデータベースである。
【００１４】
外部システム４は、個人情報サーバ１の管理ＤＢ９に個人情報を入力し、保存されたデータテーブルを参照する機能を持つ。
【００１５】
符号化手段５は、通信部５１、制御部５２、記憶部５３とから構成されており、管理ＤＢ９と接続され、ネットワーク７を介して統計装置３の統計部３１と接続される。
【００１６】
通信部５１は、管理ＤＢ９にデータテーブルを送受信する機能を持つ。また通信部５１は、ネットワーク７を介し、符号化手段５と統計装置３の間でデータテーブルを送受信する機能を持つ。制御部５２は、アプリケーションプログラムで実現され、データを符号化し送信する機能を持つ。また制御部５２は、通信部５１が受信したデータを記憶部５３に記憶する機能を持つ。記憶部５３は、処理実行中にデータテーブルを記憶する機能を持つ。
【００１７】
統計装置３は、統計部３１と、統計データベース３２とから構成されている。統計装置３は、ネットワーク７を介して市町村等の自治体や事業者に設けられた１台以上の個人情報サーバ１と統計部３１で接続され、個人情報サーバ１からデータテーブルを受信し、統計データベース３２に保存する機能を持つ。
【００１８】
ここで、管理ＤＢ９に保存された各データテーブルについて説明する。
【００１９】
個人情報ＤＴ２１は、図２に示すように、申請毎に、ＩＤ（ア）、氏名（イ）、生年月日（ウ）、更新年月日（エ）、申請内容（オ）とから構成されている。
【００２０】
ＩＤ（ア）は、介護保険を利用する個人を特定するために付与された番号である。氏名（イ）は、ＩＤを有する介護保険利用者の氏名である。生年月日（ウ）は、ＩＤを有する介護保険利用者の生年月日である。更新年月日（エ）は、介護保険利用者からの申出に基づく市町村等の自治体や事業者での申請内容（オ）の更新や変更に伴い、介護保険利用者の個人情報が更新された年月日である。申請内容（オ）は、要介護認定レベルで、軽度から重度までレベル１〜５で示される。
【００２１】
ＩＤ管理ＤＴ２２は、図３に示すように、ＩＤ（ア）、付加データ（カ）、符号化関数情報（キ）とから構成され、ＩＤ（ア）に付加する付加データ（カ）と符号化に用いる実行関数を指定するための符号化関数情報（キ）をＩＤごとに対応付けて保存するデータテーブルである。
【００２２】
付加データ（カ）は、ＩＤ（ア）の末尾に付加するランダム値であり、符号化に用いる。なお、付加データ（カ）の付加位置をＩＤ（ア）の末尾以外に固定しても良く、ＩＤ管理ＤＴ２２に付加位置を設定するためのデータ項目を追加して、ＩＤ（ア）毎に位置を変化させても良い。符号化関数情報（キ）は、符号化に用いる実行関数を示すものである。
【００２３】
符号化データテーブル（以降、符号化ＤＴと記す）２３は、図４に示すように符号化データ（ク）で構成されている。
【００２４】
符号化データ（ク）は、ＩＤ管理ＤＴ２２のＩＤ（ア）の末尾に付加データ（カ）を付加し、符号化関数情報（キ）で指定された実行関数により生成されたデータである。
【００２５】
符号化データ（ク）が重複した場合は、付加データ（カ）を変化させて、再符号化して重複のない符号化データ（ク）を生成する。
【００２６】
送信ＤＴ２４は、図５に示すようにＩＤ（ア）、更新年月日（エ）とから構成されている。送信ＤＴ２４には、個人情報ＤＴ２１に登録されている個人情報のうち、個人情報サーバ１から統計装置３に送信されたものを特定するために、送信された個人情報のＩＤ（ア）と更新年月日（エ）が登録されている。
【００２７】
統計データテーブル２５は、図６（ａ）に示すように、符号化データ（ク）、取扱機関（ケ）、更新年月日（エ）、申請内容（オ）とから構成されている。統計データテーブル２５は、市町村等の自治体で管理される要介護認定に関する情報を個人を特定する情報を秘匿しつつ、都道府県や国などに集約して保存するデータテーブルである。保存した情報は、サービスの偏りや地域による傾向の把握等のための統計処理に用いられる。
【００２８】
取扱機関（ケ）は、個人情報サーバ１が設けられた市町村などの自治体や事業者の名称である。
【００２９】
方式テーブル２６は、図７に示すように、符号化に用いる実行関数を指定するための符号化関数情報（キ）と、符号化関数情報（キ）が指定する実行関数名を示す実行関数（コ）とから構成される。
【００３０】
符号化関数情報（キ）は、符号化する方式を符号化部５１に識別させるコードである。符号化関数情報（キ）は単体の符号化関数情報だけでなく、様々な関数を組み合わせてもよい。なお符号化には、変換元のデータが同一なら、変換後のデータも同一となる関数を用いる。
【００３１】
レコードＲ７−１は、符号化関数情報（キ）が「０１」なら実行関数（コ）ＭＤ５で符号化することを示している。また、レコードＲ７−２は符号化関数情報（キ）が「０２」なら実行関数（コ）ＳＨＡ１で符号化した結果に対してＭＤ５で符号化することを示している。実行関数は制御部５２に実装されている。
【００３２】
データ変換システム２００は、夜間バッチで符号化処理した後、データ送信処理をする。
【００３３】
本実施形態のデータ変換システム２００の符号化処理を図８に示すフローチャートと、図２に示す個人情報ＤＴ２１と、図３に示すＩＤ管理ＤＴ２２と、図７に示す方式テーブル２６を用いて説明する。
【００３４】
制御部５２は、管理ＤＢ９から個人情報ＤＴ２１とＩＤ管理ＤＴ２２を取得し、記憶部５３に記憶する。（ＳＴ１）
制御部５２は、記憶部５３に記憶した個人情報ＤＴ２１のＩＤ（ア）のうち、ＩＤ管理ＤＴ２２に登録されていない未登録のＩＤ（ア）があるかを判定する。（ＳＴ２）
つまり、個人情報ＤＴ２１に登録されている全てのＩＤ（ア）に対して、付加データ（カ）と符号化関数情報（キ）が対応付けられてＩＤ管理ＤＴ２２に登録されているか否かを判定する。
【００３５】
ＩＤ管理ＤＴ２２に未登録のＩＤ（ア）があれば（ＳＴ２がＹＥＳ）、ＳＴ３へ進む。
【００３６】
例えば、個人情報ＤＴ２１のレコードＲ２−５のＩＤ（ア）０００００００００４とＲ２−６のＩＤ（ア）０００００００００５が、ＩＤ管理ＤＴ２２に登録されていないので、ＳＴ３へ進む。
【００３７】
個人情報ＤＴ２１の全てのＩＤ（ア）が、ＩＤ管理ＤＴ２２のレコードにあれば（ＳＴ２がＮｏ）、ＳＴ１１へ進む。
【００３８】
制御部５２は、記憶部５３に記憶したＩＤ管理ＤＴ２２の各レコードについて、符号化関数情報（キ）から方式テーブル２６を参照し、指定された実行関数（コ）を用いて、ＩＤ（ア）の末尾に付加データ（カ）を付加したデータから符号化データ（ク）を生成する。
【００３９】
制御部５２は、生成した符号化データ（ク）を図４（ａ）に示すように符号化ＤＴ２３として記憶部５３に記憶する。（ＳＴ３）
つまり、図３（ａ）のレコードＲ３−１〜Ｒ３−３から、それぞれ図４（ａ）のレコードＲ４−１〜Ｒ４−３が生成され、記憶される。
【００４０】
次に、制御部５２は、ＳＴ５〜ＳＴ１０の処理を個人情報ＤＴ２１のＩＤ（ア）が全てＩＤ管理ＤＴ２２に登録されるまで繰返す。（ＳＴ４）
つまり、制御部５２は、記憶部５３に記憶した個人情報ＤＴ２１のＩＤ（ア）のうち、ＩＤ管理ＤＴ２２に登録されていないＩＤ（ア）を１件ずつ符号化する。
【００４１】
制御部５２は、未登録のＩＤ（ア）に付加する付加データ（カ）としてランダム値を生成し、ＩＤ（ア）と対応付けて図９に示すように未登録ＩＤ管理データテーブル（以降、未登録ＩＤ管理ＤＴと記す）３２として記憶部５３に記憶する。（ＳＴ５）
例えば、レコードＲ２−５（ＩＤ（ア）：０００００００００４）の処理の場合、図９（ａ）のレコードＲ９−１には、未登録のＩＤ（ア）と付加データ（カ）が記憶される。この時点で、符号化関数情報（キ）はブランクとなっている。
【００４２】
制御部５２は、方式テーブル２６からランダムに符号化関数情報（キ）を選択する。選択した符号化関数情報（キ）を未登録ＩＤ管理ＤＴ３２に記憶する。（ＳＴ６）
例えば、ＩＤ（ア）：０００００００００４の処理なら、図９（ｂ）のレコードＲ９−１に示すように、符号化関数情報（キ）「０１」が記憶される。
【００４３】
制御部５２は、このレコードＲ９−１に登録されたＩＤ（ア）の末尾に付加データ（カ）を付加して、これを符号化関数情報（キ）から方式テーブル２６を参照し指定された実行関数（コ）を用いて符号化し、符号化データ（ク）を生成する。生成した符号化データ（ク）を未登録符号化データテーブル（以降、未登録符号化ＤＴと記す）３３として記憶部５３に記憶する。（ＳＴ７）
例えば、ＩＤ（ア）：０００００００００４の処理の場合、図１０（ａ）未登録符号化ＤＴ３３に示すように、レコードＲ１０−１として符号化データ（ク）「ＡＡＱＺＺＷ」が記憶される。
【００４４】
制御部５２は、未登録符号化ＤＴ３３に登録された符号化データ（ク）が、図４（ａ）符号化ＤＴ２３に登録されたの符号化データ（ク）と重複が無いか判定する。（ＳＴ８）
重複する符号化データ（ク）があれば、ＳＴ５へ戻る。
【００４５】
例えば、ＩＤ（ア）：０００００００００４の処理の場合、図１０（ａ）の未登録符号化ＤＴ３３のレコードＲ１０−１に示すように、ＳＴ７で生成した符号化データ（ク）「ＡＡＱＺＺＷ」が、ＳＴ３で生成した符号化データ（ク）のレコードＲ４−１「ＡＡＱＺＺＷ」と重複しており、符号化データの衝突が起きている。そこでＳＴ５へ戻る。
【００４６】
重複する符号化データ（ク）がなければ、ＳＴ９へ進む。
【００４７】
ここでＳＴ５へ戻った場合のＩＤ（ア）：０００００００００４の処理について説明する。
【００４８】
図９（ｃ）に示すように、未登録ＩＤ管理ＤＴ３２のレコードＲ９−１に新たに生成された付加データ（カ）「１９８４５６７８６３」が記憶される。（ＳＴ５）
さらに、図９（ｄ）に示すように、レコードＲ９−１に符号化関数情報（キ）「０２」が更新されて記憶される。（ＳＴ６）
ＩＤ（ア）：０００００００００４が再符号化されて符号化データ（ク）が「ＩＯＲＴＹＵ」に更新され、図１０（ｂ）に示すレコードＲ１０−１として未登録符号化ＤＴ３３に記憶される。（ＳＴ７）
図１０（ｂ）に示す未登録符号化ＤＴ３３のレコードＲ１０−１の符号化データ（ク）「ＩＯＲＴＹＵ」は、図４（ａ）に示す符号化ＤＴ２３に登録されている各符号化データ（ク）と重複しない。（ＳＴ８）よって、ＳＴ９へ進む。
【００４９】
制御部５２は、記憶部５３に記憶された未登録ＩＤ管理ＤＴ３２のレコードから未登録のＩＤ（ア）、付加データ（カ）、符号化関数情報（キ）をＩＤ管理ＤＴ２２に追加して記憶する。さらに管理ＤＢ９に保存されているＩＤ管理ＤＴ２２も同様に更新する。（ＳＴ９）
例えば、図９（ｄ）に示す未登録ＩＤ管理ＤＴ３２のレコードＲ９−１を図３（ａ）に示すＩＤ管理ＤＴ２２に追加する。これにより、図３（ｂ）に示すようにレコードＲ３−４が追加されたことになる。さらにＩＤ管理ＤＴ２２に登録されているレコードを管理ＤＢ９に書き戻して、管理ＤＢ９に保存されているＩＤ管理ＤＴ２２を更新する。
【００５０】
制御部５２は、記憶部５３に記憶された図１０に示す未登録符号化ＤＴ３３のレコードを図４に示す符号化ＤＴ２３に追加して記憶する。さらに制御部５２は、未登録ＩＤ管理ＤＴ３２と未登録符号化ＤＴ３３を記憶部５３から消去する。（ＳＴ１０）
例えば、図１０（ｂ）に示す未登録符号化ＤＴ３３のレコードＲ１０−１「ＩＯＲＴＹＵ」を符号化ＤＴ２３に追加すると図４（ｂ）のレコードＲ４−４に示すようになる。
【００５１】
さらに図３（ｂ）に示すＩＤ管理ＤＴ２２に未登録の図２に示す個人情報ＤＴ２１のレコードＲ２−６（ＩＤ（ア）：０００００００００５）の符号化処理を行うため、ＳＴ４へ戻る。
【００５２】
以下同様にＳＴ４〜ＳＴ１０の各処理を行うことで、ＩＤ（ア）：０００００００００５についての符号化処理がなされる。その結果、ＩＤ管理ＤＴ２２は図３（ｃ）に示すようにレコードが登録される。
【００５３】
制御部５２は、記憶部５３に記憶された全てのデータを消去する。（ＳＴ１１）
次に、本実施形態のデータ変換システム２００のデータ送信処理を、図１１に示すフローチャートと、図５（ａ）に示す送信ＤＴ２４と、図２に示す個人情報ＤＴ２１とを用いて説明する。
【００５４】
制御部５２は、管理ＤＢ９から送信ＤＴ２４を取得し、記憶部５３に記憶する。
【００５５】
制御部５２は、送信ＤＴ２４と個人情報ＤＴ２１とを参照して、送信ＤＴ２４に登録されているＩＤ（ア）と更新年月日（エ）とから構成される各レコードと一致しないＩＤ（ア）と更新年月日（エ）とを持つレコードを個人情報ＤＴ２１から取得し、そのレコードを未送信個人情報データテーブル（以降、未送信個人情報ＤＴと記す）４１のレコードとしてに記憶部５３に記憶する。（ＳＴ１０１）これにより、個人情報サーバ１から統計装置３に送信されていない個人情報が、未送信個人情報ＤＴ４１に記憶される。
【００５６】
個人情報ＤＴ２１のレコードＲ２−１は、ＩＤ（ア）と更新年月日（エ）が、送信ＤＴ２４のレコードＲ５−１と一致している。個人情報ＤＴ２１のレコードＲ２−２とレコードＲ２−３も同様にＩＤ（ア）と更新年月日（エ）が、送信ＤＴ２４のレコードＲ５−２、レコードＲ５−３とそれぞれ一致している。
【００５７】
一方、個人情報ＤＴ２１のレコードＲ２−４は、ＩＤ（ア）に対する更新年月日（エ）が、送信ＤＴ２４のレコードＲ５−１と一致しない。そこで、レコードＲ２−４は記憶部５３に未送信個人情報ＤＴ４１として記憶される。また個人情報ＤＴ２１のレコードＲ２−５とレコードＲ２−６は、ＩＤ（ア）が、送信ＤＴ２４のレコードにない。そこで、レコードＲ２−５とレコードＲ２−６も未送信個人情報ＤＴ４１に記憶される。
【００５８】
よって未送信個人情報ＤＴ４１は、図１２に示すようになる。
【００５９】
制御部５２は、図３（ｃ）に示すＩＤ管理ＤＴ２２から図１２に示す未送信個人情報ＤＴ４１のＩＤ（ア）と一致するレコードを取得し、記憶部５３に未送信ＩＤ管理データテーブル（以降、未送信ＩＤ管理ＤＴと記す）４２として記憶する。（ＳＴ１０２）
図１２に示す未送信個人情報ＤＴ４１に記録されているＩＤ（ア）は０００００００００１、０００００００００４、０００００００００５なので、図３（ｃ）に示すＩＤ管理ＤＴ２２からこれらのＩＤ（ア）を持つレコードＲ３−１とレコードＲ３−４とレコードＲ３−５が取得され、図１３に示すように記憶部５３に未送信ＩＤ管理ＤＴ４２として記憶される。
【００６０】
制御部５２は、記憶部５３に記憶された図１３に示す未送信ＩＤ管理ＤＴ４２の全てのレコードＲ５−１、レコードＲ５−４、レコードＲ５−５についてＩＤ（ア）と付加データ（カ）を結合し、符号化関数情報（キ）に従って符号化する。制御部５２は、生成された符号化データ（ク）を図４（ｃ）に示すように符号化ＤＴ２３として記憶部５３に記憶する。（ＳＴ１０３）
制御部５２は、記憶部５３に記憶された図１２に示す未送信個人情報ＤＴ４１の全てのレコードについて、更新年月日（エ）、申請内容（オ）と、これらのＩＤ（ア）からＳＴ１０３で生成された図４（ｃ）に示す符号化データ（ク）を統計装置３へ送信する。
【００６１】
統計装置３の統計部３１は受信したデータの送信元である取扱機関（ケ）を識別し、更新年月日（エ）と申請内容（オ）と符号化データ（ク）とを対応付けて図６（ｂ）に示すように、統計データテーブル２５として統計データベース３２に保存する。統計データテーブル２５には新規レコードＲ６−５〜Ｒ６−７が追加保存される。さらに統計装置３は送信元に保存完了を通知する。（ＳＴ１０４）
制御部５２は、統計装置３から送信された保存完了通知を通信部５１が受信すると、統計データベース３２への送信データの保存完了を確認できる。その後、記憶部５３に記憶されている未送信個人情報ＤＴ４１のＩＤ（ア）と更新年月日（エ）を、管理ＤＢ９の送信ＤＴ２４に保存する。よって、送信ＤＴ２４は図５（ｂ）に示す新規レコードＲ５−４〜Ｒ５−６が追加される。
【００６２】
さらに制御部５２は、記憶部５３に記憶された全てのデータを消去する。（ＳＴ１０５）
本実施形態によれば、サーバに保存された個人情報の更新履歴を、個人を特定するＩＤに換えて符号化データと対応付けて、統計装置で管理できるようになる。
【００６３】
なお、本実施例では個人情報サーバ１が符号化手段５を持つように記載したが、個人情報サーバ１が符号化機能を有する符号化システムと接続されるようにしてもよい。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１・・・個人情報サーバ
３・・・統計装置
３１・・・統計部
３２・・・統計データベース
４・・・外部システム
５・・・符号化手段
５１・・・通信部
５２・・・制御部
５３・・・記憶部
７・・・ネットワーク
９・・・管理データベース（管理ＤＢ）
２１・・・個人情報データテーブル（個人情報ＤＴ）
２２・・・ＩＤ管理データテーブル（ＩＤ管理ＤＴ）
２３・・・符号化データテーブル（符号化ＤＴ）
２４・・・送信データテーブル（送信ＤＴ）
２５・・・統計データテーブル
２６・・・方式テーブル
３２・・・未登録ＩＤ管理データテーブル（未登録ＩＤ管理ＤＴ）
３３・・・未登録符号化データテーブル（未登録符号化ＤＴ）
４１・・・未送信個人情報データテーブル（未送信個人情報ＤＴ）
４２・・・未送信ＩＤ管理データテーブル（未送信ＩＤ管理ＤＴ）
２００・・・データ変換システム
【図１】
2013196386.tif 000003
【図２】
2013196386.tif 000004
【図３】
2013196386.tif 000005
【図４】
2013196386.tif 000006
【図５】
2013196386.tif 000007
【図６】
2013196386.tif 000008
【図７】
2013196386.tif 000009
【図８】
2013196386.tif 000010
【図９】
2013196386.tif 000011
【図１０】
2013196386.tif 000012
【図１１】
2013196386.tif 000013
【図１２】
2013196386.tif 000014
【図１３】
2013196386.tif 000015